(57)【要約】【課題】盛土補強材として埋設されたジオテキスタイル等の高分子材料の伸びによる盛土の変位や、これに伴う壁面の過大な変位を防止すると共に引張り抵抗力を増大せしめることによって非常に安定した補強土構造物および補強土工法を提供する。【解決手段】複数の壁面パネル１を積層し、その背部に盛土３を撒き出し、かつ盛土３内に盛土補強材４を複数層に埋設し、その端部４ａを壁面パネル１に定着する。盛土補強材４として面状に形成された高分子材料の盛土補強材を凹凸状に起伏させて盛土３内に複数層に埋設する。  面状に形成された盛土補強材４としてジオグリッド、ジオテキスタイル、樹脂シートまたは不織布などを埋設する。【選択図】                    図１
2004263395.tif 000002
【特許請求の範囲】
【請求項１】
一定の層厚ごとに盛土を撒き出し、かつ前記盛土内に一定の層厚ごとに盛土補強材を埋設してなる補強土構造物において、前記盛土補強材として面状に形成された高分子材料の盛土補強材を凹凸面状に起伏させて前記盛土内に複数層に埋設してなることを特徴とする補強土構造物。
【請求項２】
複数の壁面材を積層しつつ、その背部に一定の層厚ごとに盛土を撒き出し、かつ前記盛土内に一定の層厚ごとに盛土補強材を埋設し、その端部を前記壁面材に定着してなる補強土構造物において、前記盛土補強材として面状に形成された高分子材料の盛土補強材を凹凸面状に起伏させて前記盛土内に複数層に埋設してなることを特徴とする補強土構造物。
【請求項３】
面状に形成された高分子材料の盛土補強材としてジオグリッド、ジオテキスタイル、樹脂シートまたは不織布が埋設されてなることを特徴とする請求項１または２記載の補強土構造物。
【請求項４】
盛土補強材を盛土内に部分的に固定してなることを特徴とする請求項１〜３のいずれかに記載の補強土構造物。
【請求項５】
一定の層厚ごとに盛土を撒き出し、転圧した後、前記盛土内に一定の層厚ごとに盛土補強材を埋設して補強土構造物を構築する補強土工法において、一定の層厚ごとに前記盛土の上面を凹凸面状に形成し、その上に高分子材料の盛土補強材を敷設し、その上に盛土を撒き出し、転圧することによって前記盛土補強材を前記凹凸面に沿わせ、凹凸面状に起伏させて埋設することを特徴とする補強土工法。
【請求項６】
一定の層厚ごとに盛土を撒き出し、転圧した後、前記盛土内に一定の層厚ごとに盛土補強材を埋設して補強土構造物を構築する補強土工法において、一定の層厚ごとに前記盛土の上面を凹凸面状に形成し、その上に高分子材料の盛土補強材を前記盛土上面の凹部に空間を保持した状態で敷設し、その上に盛土を撒き出し、転圧することによって前記盛土補強材を緊張せしめた状態で前記凹凸面に沿わせ、かつ凹凸面状に起伏させて埋設することを特徴とする補強土工法。
【請求項７】
凹部内に固化材、固結土または砕石類を充填することを特徴とする請求項５または６記載の補強土工法。
【請求項８】
一定の層厚ごとに盛土を撒き出し、かつ前記盛土内に一定の層厚ごとに盛土補強材を埋設して補強土構造物を構築する補強土工法において、各盛土層の上に敷設する盛土補強材とその上に撒き出す転圧盛土に、盛土を透過する磁気波・γ線などの電磁波源とこれを受けるセンサーをそれぞれいずれかに配置して、転圧によって生ずる前記盛土補強材の変位を計測することによって、前記盛土補強材に生ずる引張力を管理することを特徴とする補強土工法。
【発明の詳細な説明】
【０００１】
【発明の属する技術分野】
本願発明は擁壁や土留め壁、さらには堤防や防波堤などとして構築された補強土構造物および補強土工法に関し、特に盛土補強材として盛土内に埋設された高分子材料の盛土補強材の施工後の伸びを小さくするとともに、引張り抵抗力を増大させることにより、壁面の過大な変位を防止して非常に安定した補強土構造物および補強土工法を提供するものである。
【０００２】
【従来の技術】
補強土工法として、例えば図１６に図示するようにコンクリート製の壁面パネル３０を複数層に積層しつつ、その背部に粗粒土を主とする盛土３１を一定の層厚ごとに撒き出し、充分に転圧した後、層厚ごとに盛土補強材３２として高分子材料の盛土補強材、例えばジオテキスタイルやジオグリッド等を埋設し、その端部を壁面パネル３０に定着して擁壁などの補強土構造物を構築する補強土工法が知られている（特許文献Ｉ参照）。
【０００３】
【特許文献】
特開平６−２２０８６１号
【０００４】
【発明が解決しようとする課題】
この種の補強土工法においては、盛土はそれ自体引張強度をもたないため、引張強度をもつ盛土補強材を盛土中に埋設して土と盛土補強材との摩擦力により土と盛土補強材とを一体化させて引張力を付与した盛土を土構造物として用いる補強土工法が多く用いられている。
【０００５】
しかし、盛土補強材を用いた盛土への引張力の付与が、盛土補強材が側方向に伸びて、補強材に引張力が発生することによって可能となることが、この種の補強土工法の原理であることから、盛土補強材として高分子材料を用いた補強土は変形が大きいことが宿命であり、また欠点でもある。
【０００６】
また、盛土内に埋設されたジオテキスタイルやジオグリッド等の盛土補強材の引抜抵抗が、土と盛土補強材との摩擦によるものであるから、摩擦力の小さな粘性土ではジオテキスタイルやジオグリッドは容易に引き抜かれてしまうので変位が大きくなり、使用できないという問題があった。
【０００７】
また、ジオテキスタイルやジオグリッド以外にも、例えば不織布や漁網や落石防止網などのような合成樹脂繊維をよった線状体を編み込んで形成された網状体は、平面にセットしても弛んでしまって張設することが困難なため、盛土補強材としては使用することができない。
【０００８】
そのため、変形が問題になる土構造物や土留め壁にこれらのジオテキスタイル等の高分子材料の盛土補強材を使用することは困難であった。
【０００９】
また、この種の補強土工法においては、例えば図１６に図示するように盛土補強材３２に引張力が作用した場合、その原理から盛土補強材３２に伸びが生じ、その引張力が盛土３１に付与される。このため、盛土補強材３２としてジオテキスタイルやジオグリッド等の高分子材料が用いられている場合、転圧時或いは施工後に伸びが大きすぎて壁面が土圧によって大きく変位する等して盛土の安定性からも美観上からも問題があった。
【００１０】
本願発明は以上の課題を解決するためになされたもので、特に盛土補強材として埋設されたジオテキスタイル等の高分子材料の伸びによる盛土の変位や、これに伴う壁面の過大な変位を防止すると共に引抜き抵抗力を増大せしめ、また盛土の変位に対して盛土補強材に直ちに引張力を付与せしめることによって、非常に安定した補強土構造物および補強土工法を提供することを目的とするものである。
【００１１】
【課題を解決するための手段】
請求項１記載の補強土構造物は、一定の層厚ごとに盛土を撒き出し、かつ前記盛土内に一定の層厚ごとに複数の盛土補強材を複数層に埋設してなる補強土構造物において、前記盛土補強材として面状に形成された高分子材料の盛土補強材を前記盛土内に凹凸面状に起伏させて複数層に埋設してなることを特徴とするものである。
【００１２】
本願発明は、盛土補強材として面状（帯状を含む）に形成された高分子材料の盛土補強材を盛土内に特に凹凸面状に起伏させて埋設することにより、盛土を転圧する際に盛土補強材を伸長せしめて予め必要な引張力を発生させ、これによって盛土補強材を緊張させた状態で盛土内に埋設することにより、施工後の盛土補強材の伸びを極力無くして盛土の移動、沈下、さらに壁面の変位を少なくすることができる。
【００１３】
図１４（ａ）〜（ｄ）に本願発明の原理を示す。例えば図１４（ａ）に図示するように、盛土内に盛土補強材（ジオテキスタイル）Ａを単に水平に埋設しただけでは、その引抜き抵抗力Ｆは盛土補強材Ａと盛土との摩擦抵抗力のみによって得るにすぎないが、本願発明の場合、図１４（ｂ）に図示するように、ジオテキスタイルＡを盛土内に凹凸面状に起伏させて埋設することで、ジオテキスタイルＡに弛みやたるみがあっても、それは盛土面に形成された凹部Ｂ内にたぐり寄せられるし、またジオテキスタイルＡにたるみがなくても、ジオテキスタイルＡを盛土の凹部Ｂの内周面に沿わせて敷設することにより、凹部ＢにはジオテキスタイルＡとその上に撒き出した転圧盛土とが一体となった補強梁状部Ｃが複数、盛土の延長方向に平行に連続して形成される。
【００１４】
この状態でジオテキスタイルＡに引張力が作用すると、盛土との摩擦力のみならず、補強梁状部Ｃによる支圧抵抗力も同時に作用して大きな引抜き抵抗力Ｆを生ずる。また、壁面の変位は補強梁状部Ｃよりも壁面側の領域のジオテキスタイルＡの伸びまたは、さらに補強梁状部Ｃと補強梁状部Ｃとの間のジオテキスタイルＡの伸びに依存する。そして、ジオテキスタイルＡの全長の伸びは補強梁状部Ｃの存在によって遮断されるので、壁面変位は大幅に低減される。
【００１５】
このように、本願発明ではジオテキスタイル等の盛土補強材が波状に凹凸をもって盛土内に埋設されていることで、盛土補強材と盛土との摩擦抵抗力に凹部の補強梁状部による受動土圧に基づく抵抗力が加わるため、盛土補強材の引抜抵抗力は大幅に増す。
【００１６】
特に、図１４（ｃ）に図示するように、凹凸面状に転圧された盛土の上に面状の盛土補強材Ａを凹部Ｂに空間を生じるように敷設した上に盛土を撒き出し転圧すれば、盛土補強材Ａは凹部Ｂの底面に完全に伸びた状態で密着することにより緊張力を生じ、土塊に引張り強度が付与される。
【００１７】
図１４（ｄ）はその原理図であり、Ｃは補強梁状部に相当する。このため、側面と補強梁状部Ｃとの間、或いは補強梁状部ＣとＣとの間の盛土補強材Ａには盛土の転圧時に引張力が生じ、そのため盛土の高さの増加により鉛直荷重が増大しても水平方向に盛土が変位しない強固な補強土構造物が構築される。
【００１８】
また、盛土補強材を凹部でセメントや石灰などの固結材、あるいはソイルセメント等の固結土で部分的に盛土に固定することにより効果的に盛土補強材の引張り強度を盛土に付与することができる。また、土壌や杭で盛土補強材の端部を盛土に固定してもよいし、凸部をこれらの固結物で構築してもよい。
【００１９】
このようにして、盛土が水平方向に変位しない強固な補強土構造物を構築することができる。なお、凹凸部（起伏）の大きさ（幅、深さ、高さ）、形状、さらに間隔を適当に設定することにより盛土補強材に必要な伸びや引張力を発生させることができる。
【００２０】
請求項２記載の補強土構造物は、複数の壁面材を積層しつつ、その背部に一定の層厚ごとに盛土を撒き出し、かつ前記盛土内に一定の層厚ごとに複数の盛土補強材を複数層に埋設し、その端部を前記壁面材に定着してなる補強土構造物において、前記盛土補強材として面状に形成された高分子材料の盛土補強材を凹凸面状に起伏させて前記盛土内に複数層に埋設してなることを特徴とするものである。
【００２１】
壁面材を設置する場合、壁面背部の奥行きが狭く盛土の量が少々不足する場合でも、盛土補強材を凹凸面状に起伏させて埋設することにより、盛土補強材に必要な引抜き抵抗力を与えることができるため、壁面材を安定した状態に固定することができる。
【００２２】
また、面状に形成された高分子材料の盛土補強材としてジオグリッド、ジオテキスタイル、樹脂シートまたは不織布などが用いられていることで、盛土の沈下を防止して盛土全体の安定を保持することができる。また盛土との一体化により安定した盛土層を形成することができる。
【００２３】
また、凹凸状の盛土面を形成するには、平面的に十分に転圧した盛土面を、補強土壁と補強土盛土の延長方向に、バックホウ等によって溝状に掘ってもよく、或いは全体に平坦に転圧した転圧盛土の上に局部的に畝状に盛土し、転圧して凹凸を形成してもよい。このような凸部または凹部は一つまたは複数個盛土層の内部に形成される。
【００２４】
本願発明は補強効果にすぐれ、しかも盛土の保持力に非常にすぐれているため、壁面材として簡単な壁面材を用いても壁体全体が破壊に至ることはない。
【００２５】
また、壁面材を積層する場合、例えば横方向に隣接する各段の壁面材間の目地部が上下方向に連続しないで左右に交互にずれる、いわゆる「やぶれ目地」となるように、各段の壁面材を積層し、これに伴い各段の壁面材の上端部に突設された突起部が、その上側に積層された壁面材間に設けられた各空洞部とそれぞれ係合することで、上下壁面材どうしを突起部と空洞部が係合する、いわゆる「インターロッキング方式」によって横ずれしないように接合することができ、同時に上下壁面材間に盛土補強材の端部を「インターロッキング方式」によって定着することができる。
【００２６】
このように壁面材どうしおよび壁面材と盛土補強材とをインターロッキング方式によって接合し、定着することにより背面土圧や地盤荷重に対してわずかの変位を許容しながら各部材が外れにくい構造とすることができるため、壁面材に対しても盛土補強材の定着部においても応力が集中しにくく、しかも破壊しにくい構造とすることができる。
【００２７】
なお、本願発明で用いられる壁面材としては、基本的にコンクリート壁面材または鋼製壁面材でもよいし、また例えば、１．５ｍ×１．５ｍ、厚さが１０〜２０ｃｍ程度のコンクリートパネルを組み合わせながら積層した壁面でもよい。
【００２８】
基本的に運搬時などの取り扱い易さ、施工性などを考慮して通常、高さｈが２０〜６０ｃｍ、幅ｗが３０〜１００ｃｍ、奥行きｄが２０〜６０ｃｍ程度、さらに重さが２０〜１５０Ｋｇ程度のコンクリートパネルまたはコンクリートブロックを用いることができる。
【００２９】
特に、壁面材としてコンクリートパネルやコンクリートブロックを用いる場合、ある程度の壁面変位は許容しがながら補強効果のすぐれた壁面を構築することができる。
【００３０】
請求項３記載の補強土構造物は、請求項１または２記載の補強土構造物において、面状に形成された高分子材料の盛土補強材としてジオグリッド、ジオテキスタイル、樹脂シートまたは不織布などが埋設されてなることを特徴とするものである。
【００３１】
請求項４記載の補強土構造物は、請求項１〜３のいずれかに記載の補強土構造物において、盛土補強材を盛土内に部分的に固定してなることを特徴とするものである。盛土補強材を盛土内に固定する方法としては、盛土補強材の上から凹部内に固化材または砕石類を充填する等の方法でよい。
【００３２】
請求項５記載の補強土工法、一定の層厚ごとに盛土を撒き出し、転圧した後、前記盛土内に一定の層厚ごとに盛土補強材を埋設して補強土構造物を構築する補強土工法において、前記盛土の上面を凹凸面状に形成し、その上に高分子材料の盛土補強材を敷設し、その上に盛土を撒き出し、転圧することによって前記盛土補強材を前記凹凸面に沿わせ、凹凸面状に起伏させて埋設することを特徴とするものである。
【００３３】
請求項６記載の補強土工法は、一定の層厚ごとに盛土を撒き出し、転圧した後、前記盛土内に一定の層厚ごとに盛土補強材を埋設して補強土構造物を構築する補強土工法において、一定の層厚ごとに前記盛土の上面を凹凸面状に形成し、その上に高分子材料の盛土補強材を前記盛土上面の凹部に空間を保持した状態で敷設し、その上に盛土を撒き出し、転圧することによって前記盛土補強材を緊張せしめた状態で前記凹凸面に沿わせ、かつ凹凸面状に起伏させて埋設することを特徴とするものである。
【００３４】
請求項７記載の補強土工法は、請求項５または６記載の補強土工法において、盛土補強材の上から凹部内に固化材、固結土または砕石類を充填することを特徴とするものである。
【００３５】
請求項８記載の補強土工法は、一定の層厚ごとに盛土を撒き出し、かつ前記盛土内に一定の層厚ごとに複数の盛土補強材を複数層に埋設してなる補強土構造物の補強土工法において、各盛土層の上に敷設する盛土補強材とその上に撒き出す転圧盛土に、盛土を透過する磁気波・γ線などの電磁波発信源とこれを受けるセンサーをそれぞれいずれかに配置して、盛土の転圧によって生ずる前記盛土補強材の変位を計測することによって、前記盛土補強材に生ずる引張力を管理することを特徴とするものである。
【００３６】
例えば、各盛土段階の盛土層の上に敷設する盛土補強材に永久磁石などの磁力発生源を取り付けておき、その上に盛土として転圧されるこの盛土段階の盛土層中、または一つ前の盛土段階の盛土層中にホール素子など、磁束密度を検出するセンサーを埋設しておき、前記盛土補強材に取り付けた磁力発生源からの磁束密度を盛土中のセンサーで測定して、発生源とセンサー間の相対変位を求めることによって、前記盛土補強材に発生した引張力を間接的に求めて管理するものである。なお、盛土補強材にセンサーを取り付け、盛土中に埋設するのは磁気波・γ線などの磁力源であってもよい。さらに、磁力でなくとも、γ線などの土中を透過する電磁波を線源にし、その検出素子をセンサーとすることもできる。
【００３７】
【発明の実施の形態】
図１〜図３は、道路や敷地などに面する擁壁として構築された補強土構造物の一例を示し、図において、符号１は擁壁２を構築するために複数段に積層されたコンクリート製の壁面パネル（以下「壁面パネル」という）、３は擁壁２の背部に土砂などの盛土を充填して形成された盛土層である。
【００３８】
また、符号４は盛土層３の安定と強度を高め、かつ各壁面パネル１を固定するために盛土層３内に複数層に埋設された高分子材料の盛土補強材である。
【００３９】
壁面パネル１は基本的に運搬時などの取り扱い易さ、施工性などを考慮して通常、高さｈが２０〜６０ｃｍ、幅ｗが３０〜１００ｃｍ、厚さｄが２０〜６０ｃｍ程度、さらに重さが２０〜１５０Ｋｇ程度の矩形板状に形成され、その背面部に盛土補強材４の壁面側の端部を定着するための定着金具５，５より突設されている。定着金具５は帯鋼や溝形鋼、あるいは山形鋼などから形成されている。
【００４０】
なお、この種の壁面パネルとして鋼繊維、炭素繊維などの補強繊維を混入したコンクリートから成形された乾式パネルが用いられることもある。また、上述した寸法・重量の範囲で成形された壁面ブロック（後述する）が用いられることもある。
【００４１】
盛土補強材４はジオグリッド、ジオテキスタイル、樹脂シートまたは不織布などから一定大きさの面状または帯状に形成され、かつ盛土層３内に複数層に埋設されている。
【００４２】
また、各盛土補強材４は特に、盛土層３内に壁体２の横方向に断面略凹凸状に連続するように起伏して埋設され、かつ各盛土補強材４の壁面側の端部４ａが各壁面パネル１にそれぞれ定着されている。
【００４３】
なお、この場合の盛土補強材４の起伏部（凹凸部）の形状、大きさ、ピッチ等は、盛土層３の土質や堆積量などによって決定されている。また、各盛土補強材４の壁面側の端部４ａは、例えば図示するように定着バー６に巻き付けられ、かつ定着バー６を定着金具５に複数の定着ボルト７によってボルト止めする等して壁面パネル１に定着されている。
【００４４】
盛土補強材４の壁面側の端部４ａを壁面パネル１に定着する方法は、特に限定されるものではなく、他の定着方法として上下の壁面パネル１，１間に盛土補強材４の端部４ａを単に挟み込む等の方法でもよい。
【００４５】
また、各盛土補強材４の上には凹部４ｂ内を含めて盛土を入念に転圧して撒き出すが、例えば図２（ａ），（ｂ）に図示するように、凹部４ｂ内に限りソイルセメントやセメントモルタル、あるいはコンクリート等の固化材または砕石類８が充填されていてもよい。
【００４６】
図４（ａ）〜（ｅ）は、図１（ａ），（ｂ）に図示する補強土構造物の施工方法を示し、以下順を追って説明する。
▲１▼．最初に、第一段目の壁面パネル１を設置し、その背部に盛土を撒き出し、かつ入念に転圧して盛土層３１  を形成する。この場合の盛土層３１  は壁面パネル１の背面部に突設された下段側の定着金具５１  の位置まで形成し、また盛土層３１  の表層部を壁面パネル１の横方向に連続する断面略凹凸面状に形成する。
▲２▼．次に、盛土層３１  の上に盛土補強材４１  を敷設し、その壁面側の端部４ａを壁面パネル１の定着金具５１  に定着する。また、盛土補強材４１  を良く踏み込むか、または機械転圧により盛土層３１  の凹凸面に良く密着させる。
この際、定着領域に盛土を先に撒き出して、転圧してからゆるみ領域の盛土の撒き出し、転圧を行えば、盛土補強材に引張力が発生する。
【００４７】
▲３▼．次に、盛土補強材４１  の上に盛土を撒き出し、入念に転圧して盛土層３２  を形成する。この場合の盛土層３２  は壁面パネル１の背面部に突設された上段側の定着金具５２  の位置まで形成し、また盛土層３２  の表層部を壁体２の横方向に連続する断面略凹凸面状に形成して盛土補強材４１  を伸展する。このとき、凸部を先に盛土転圧してから、凹部の盛土転圧を行えば凹部に引張力を導入できる。
▲４▼．次に、盛土層３２  の上に盛土補強材４２  を敷設し、その壁面側の端部４ａを壁面パネル１の背面部に突設された上段側の定着金具５２  に固定する。以下、同様にして二段目、三段目の壁面パネルを積層し、盛土層と盛土補強材を交互に施工して擁壁の全体を構築する。
【００４８】
図５（ａ），（ｂ）は、道路や敷地などに面する擁壁として構築された補強土構造物の他の例を示し、特に擁壁２を構築するためにコンクリート製の壁面ブロック９が複数段に積層されている。
【００４９】
壁面ブロック９は基本的に運搬時などの取り扱い易さ、施工性などを考慮して通常、高さｈが２０〜６０ｃｍ、幅ｗが３０〜１００ｃｍ、奥行きｄが２０〜６０ｃｍ程度、さらに重さが２０〜１５０Ｋｇ程度の範囲でそれ自体自立性を有するように形成されている。
【００５０】
例えば、図５（ｂ）に図示する壁面ブロック９は直方体形ブロック状に形成され、上端部に定着溝９ａが形成されている。また、盛土補強材４の端部４ａは定着バー６に巻き付けられ、かつ定着バー６を定着溝９ａに挿入することにより、上下の壁面パネル９，９間に定着されている。
【００５１】
図６（ａ），（ｂ）は、同じく壁体２を構成するために壁面ブロック９を積層した道路や敷地などに面する擁壁として構築された補強土構造物の他の例を示し、特に図６（ａ）に図示する補強土構造物は、壁面ブロック９を階段状に後退して積層された例を示し、図６（ｂ）に図示する補強土構造物は、壁面が凹凸面状をなすように壁面ブロック９が交互に前後にずらして積層された例を示したものである。
【００５２】
図７（ａ）〜（ｃ）は、同じく道路や敷地などに面する擁壁として構築された補強土構造物の他の例を示し、符号９は擁壁の壁体２を構成するために複数段に積層されたコンクリート製の壁面ブロックである。
【００５３】
壁面ブロック９は基本的に運搬時などの取り扱い易さ、施工性などを考慮して通常、高さｈが２０〜６０ｃｍ、幅ｗが３０〜１００ｃｍ、奥行きｄが２０〜６０ｃｍ程度、さらに重さが２０〜１５０Ｋｇ程度の範囲内でそれ自体自立性を有するように形成されている。
【００５４】
例えば、図７（ｂ）、（ｃ）にそれぞれ図示する壁面ブロック９は、表面フランジ９ａ、背面フランジ９ｂおよびウェブ９ｃをそれぞれ有し、そのままでもきわめて安定して自立できる平面ほぼＨ形状（または１形状）に一体的に形成されている。
【００５５】
また、表面フランジ９ａまたは背面フランジ９ｂ、あるいは表面フランジ９ａおよび背面フランジ９ｂの両方の各上端部に定着溝９ｄがそれぞれ形成されている。定着溝９ｄはそれぞれ表面フランジ９ａおよび背面フランジ９ｂの長手方向に連続して形成されている。
【００５６】
図８（ａ），（ｂ）は、同じく道路や敷地などに面する擁壁として構築された補強土構造物の他の例を示し、特に符号９は表面フランジ９ａとウェブ９ｃをそれぞれ有し、そのままでもきわめて安定して自立できる平面ほぼＴ形状に一体的に形成されている。また、表面フランジ９ａの上端部に定着溝９ｄが表面フランジ９ａの長手方向に連続して形成されている。
【００５７】
図７および図８のいずれの例においても、盛土補強材４の端部４ａは定着バー６に巻き付けられ、かつ定着バー６を定着溝９ｄに挿入することにより定着されている。
【００５８】
図９（ａ）〜（ｈ）は壁面ブロックの変形例を示し、例えば図９（ａ）、（ｂ）、（ｅ）、（ｆ）、（ｇ）に図示する壁面ブロックの場合、符号９ｅと９ｆは積層された上下壁面ブロックを一体化させるためのためのキーとキー孔であり、この係合キー９ｅとキー孔９ｆとを係合させることで強固な壁面を構築することができる。
【００５９】
また、図９（ｃ），（ｈ）の例では、壁面ブロックを積層した際、突起９ｇがその上側に位置する壁面ブロックの表面フランジと背面フランジ間に係合することで、係合キー９ｅと同様の働きを有し、また、符号９ｈは表面フランジ９ａの上端部に形成された客土充填用孔であり、この客土充填用孔９ｈに植裁を施すことにより壁面を緑化することができる。
【００６０】
また、図９（ｃ），（ｄ）の例では、積層された上下壁面ブロックどうしを上下または上下および左右に一体的に連結できるように形成された壁面ブロックを示し、また図９（ｃ）の例の場合、表面フランジ９ａの上端部に連結溝９ｉが形成され、この連結溝９ｉに連結棒６が複数の壁面ブロック９，９間に跨がって挿入されることで横方向に隣接する複数の壁面ブロック９どうしを連結することができる。
【００６１】
なお、図９（ｃ）の例においては、特に連結溝９ｉ内に連結棒６を挿入した後、連結溝９ｉ内に早強セメント等の固結材を充填すれば、壁面ブロック９どうしが一体に連結された壁面を形成することができる。
【００６２】
さらに、図９（ｄ）の例の場合、各壁面ブロック９の表面フランジ９ａの上端部と下端部に互いに嵌合し合う嵌合突起９ｊと嵌合溝９ｋが形成され、この係合突起９ｊと係合溝９ｋが嵌合し合うことで積層された壁面ブロック９どうしが上下および左右に連結された壁面を形成することができる。
【００６３】
このように形成された壁面ブロック９は横方向に互いに隣接し、かつ複数段に積層されている。また、必要に応じて例えば図６（ａ）に図示するように各段または数段おきに後退させることにより階段状に積層されている。
【００６４】
またこの場合、各段の横方向に隣接する壁面ブロック９，９間には双方の表面フランジ９ａと背面フランジ９ｂとウェブ９ｃとからなる空洞部が形成され、各空洞部内に砕石や礫、あるいは盛土が充填されていることで、左右および上下の壁面ブロック９，９どうしが一体化されている。
【００６５】
図１１（ａ）〜（ｃ）は、特に盛土補強材４の壁面側の端部４ａを各壁面ブロック９に定着する方法を示し、図１１（ａ）の例においては、壁面ブロック９の背面部に突設された定着金具１０に盛土補強材４の端部４ａが直接巻き付けることにより定着されている。
【００６６】
また、図１１（ｂ）の例においては、壁面ブロック９の背面部に突設された定着金具１１，１１に、盛土補強材４の端部４ａを巻き付けた定着バー６を定着ボルト１２によってボルト止めすることによって盛土補強材４の端部４ａが壁面ブロック９に定着されている。
【００６７】
さらに、図１１（ｃ）の例においては、壁面ブロック９に突設された定着穴９ｍ内に盛土補強材４の端部４ａを巻き付けた定着金具１３の突片１３ａ，１３ａを挿入し、その周囲にグラウト材を充填することにより定着されている。
【００６８】
図１２（ａ），（ｂ）は、防波堤や河川堤防などとして構築された補強土構造物の一例を示し、盛土を一定の層厚ごとに撒き出し、充分に転圧した後、各盛土層ごとに盛土補強材４として高分子材料の盛土補強材、例えばジオテキスタイルまたはジオグリッド等が複数層に埋設されている。
【００６９】
各盛土補強材４は凹凸状に起伏させて埋設され、特に図１２（ａ）の例においては、各盛土補強材４の端部４ｃ，４ｃはそれぞれ立ち上げられ、かつ盛土の一部を巻き込むように折り返されて盛土内に埋設されている。また、図示するように折り返された端部４ｃの内側には必要に応じて土のう１４が埋設され、さらに各盛土補強材４の凹部４ｂ内に固化材または砕石８が充填されている。
【００７０】
また、図１２（ｂ）の例においては、図示するように各盛土補強材４の端部４ｃ，４ｃはほぼ水平に延長され、アンカー部材１５によって固定されている。
【００７１】
図１２（ｃ）は、岩場などに面する道路などとして構築された補強土構造物の一例を示し、図１２（ａ），（ｂ）の例と同様に盛土を一定の層厚ごとに撒き出し、充分に転圧した後、各盛土層ごとに盛土補強材４として高分子材料の盛土補強材、例えばジオテキスタイルまたはジオグリッド等が複数層に埋設されている。また、各盛土補強材４の一端側の端部４ｃはそれぞれ立ち上げられ、かつ盛土の一部を巻き込むように折り返されて盛土内に埋設されている。また、図示するように折り返された端部４ｃの内側には必要に応じて土のう１４が埋設されている。また、他端側の端部４ｃはほぼ水平に延長され、アンカー部材１５によって固定されている。
【００７２】
図１３（ａ）〜（ｅ）は図１２（ａ）に図示する補強土構造物の施工方法を示し、以下順を追って説明する。
▲１▼．最初に、第一層目の盛土を撒き出し、入念に転圧して盛土層３１  を形成し、かつ盛土層３１  の表層部を構造物の軸方向に連続する断面略凹凸面状に形成する（図１３（ａ），（ｂ）参照）。
▲２▼．次に、盛土層３１  の上に盛土補強材４１  を敷設し、盛土補強材４１  をよく踏み込んで盛土層３１  の凹凸面によく密着させる。また、盛土補強材４１  の端部４ｃ１  ，４ｃ１  を立ち上げ、その内側に土のう１４１  ，１４１  をそれぞれ設置し、かつ土のう１４１  ，１４１  を巻き込むように端部４ｃ１  ，４ｃ１  を折り返す（図１３（ｃ），（ｄ）参照）。
▲３▼．次に、盛土補強材４１  の上に盛土を撒き出し、土のう１４１  および端部４ｃ１  を盛土内に埋め込み、かつ入念に転圧して盛土層３２  を形成する。また、盛土層３２  の表層部を横方向に連続する断面略凹凸面状に形成する。ここで、盛土層３２  をよく転圧することで盛土補強材４１  に張力を導入することができる（図１３（ｅ）参照）。
▲４▼  次に、盛土層３２  の上に盛土補強材４２  を敷設する。以下、同様にして盛土層と土のうと盛土補強材を交互に施工して構造物の全体を構築する（図１３（ｅ）〜（ｈ）参照）。
【００７３】
次に、本願発明の補強土工法を実施するに当たっての盛土補強材の管理方法について説明する。
【００７４】
盛土補強材として用いられるジオテキスタイルの強度・変形特性には引張り特性とクリープ特性がある。引張特性としては破断強さ、引張剛性、引張強さと伸び・ひずみの関係などが設計上必要である。また、ジオテキスタイルの設計引張強さとして、単に破断強さを用いるのではなく、土の破壊ひずみにあった引張強さやクリープを考慮した限界強さを用いることが、永久構造物としての補強土構造物の設計には必要である。
【００７５】
従って、本願発明の補強土構造物の設計・施工に当たって、これらを考慮した設計法、施工管理が必要である。このことは、盛土補強材の強度変形特性に適合するように、補強土構造物内における凹凸の密度、凸部の高さ、凹部の深さ、並びにその幅は設計計算に基づいて定められべきである。
【００７６】
そのような設計に適合するようにした補強土構造物の施工方法を図１５（ａ），（ｂ）に示す。図１５（ａ）は所定の位置に複数の永久磁石１６を取り付けたジオテキスタイル１７を盛土１８の上に盛土補強材として敷設した状態を示し、図１５（ｂ）はジオテキスタイル１７の上に盛土１９を撒き出し、転圧し、盛土１９の上に設置したホール素子センサー等のセンサー２０により、各永久磁石１６からの磁束密度を計測し、磁束密度の変化によって永久磁石１６とセンサー２０間の距離の変化、つまり、ジオテキスタイル１７の伸びを測定する方法を示したものである。この場合、センサー２０を盛土内に設置しておいて、後で転圧しても良い。この際、例えば図１５（ａ）で転圧前は永久磁石１６の取付け間隔Ｌ１  ，Ｌ２  だったものが、転圧後には（ｂ）のように間隔Ｌ１  ＋δ１  ，Ｌ２  ＋δ２  となる等、間隔の変化を追跡することができる。
【００７７】
なお、センサー２０をジオテキスタイル１７に取り付け、盛土内に永久磁石１６を設置してもよい。このようにして、ジオテキスタイル１７の代表的な箇所においてジオテキスタイル１７のひずみがクリープを考慮した限界引っ張り強さ内にあり、かつ上載荷重に対して、できるだけ小さなひずみで、充分な引張力を盛土に付与するように施工管理することができる。
【００７８】
【発明の効果】
本願発明は以上説明したとおりであり、特に盛土補強材として複数層に埋設された高分子材料の盛土補強材が盛土内に凹凸面状に起伏して埋設されていることで、転圧する際に盛土補強材を伸長せしめて盛土補強材に予め一定の張力を発生させることができ、また起伏の大きさ等を設定することにより盛土補強材の伸びや引張張力を自由に調整することができることで、施工後の盛土の沈下などによる盛土補強材の伸びやこれに伴う壁面材の変位などを極力少なくすることができ、非常に安定した補強土構造物を提供することができる。
【図面の簡単な説明】
【図１】（ａ）は、道路などに面する擁壁として構築された補強土構造物の一例を示す一部斜視図、（ｂ）は壁面パネルおよび盛土補強材の一部斜視図である。
【図２】（ａ），（ｂ）は盛土補強材を示す一部斜視図である。
【図３】補強土構造物の一部縦断面図である。
【図４】（ａ）〜（ｅ）は施工方法を示す一部縦断面図である。
【図５】（ａ）は、道路などに面する擁壁として構築された補強土構造物の一例を示す一部斜視図、（ｂ）は壁面パネルおよび盛土補強材の一部斜視図である。
【図６】（ａ），（ｂ）は、道路などに面する擁壁として構築された補強土構造物の一例を示す一部縦断面図である。
【図７】（ａ）は、道路などに面する擁壁として構築された補強土構造物の一例を示す一部斜視図、（ｂ），（ｃ）は壁面ブロックの一例を示す斜視図である。
【図８】（ａ）は道路などに面する擁壁として構築された補強土構造物の一例を示す一部斜視図、（ｂ）は壁面ブロックの斜視図である。
【図９】（ａ）〜（ｈ）は壁面ブロックの一例を示す斜視図である。
【図１０】（ａ），（ｂ）は、道路などに面する擁壁として構築された補強土構造物の一例を示す一部平面図、（ｃ）はその一部縦断面図である。
【図１１】（ａ），（ｂ），（ｃ）は壁面ブロックおよび盛土補強材の一例を示す斜視図である。
【図１２】（ａ），（ｂ），（ｃ）は防波堤や河川堤防などとして構築された補強土構造物の一例を示す一部斜視図である。
【図１３】（ａ）〜（ｈ）は施工方法を示す縦断面図である。
【図１４】本願発明の原理を示し、（ａ）はジオテキスタイルのみによる場合の引張力に対する抵抗力を説明する図、（ｂ），（ｃ），（ｄ）は本願発明の場合の引張力に対する抵抗力を説明する図である。
【図１５】（ａ），（ｂ）は本願発明の施工方法を説明する説明図である。
【図１６】従来の補強土構造物の一例を示す断面図である。
【符号の説明】
１  壁面パネル（壁面材）
２  擁壁
３  盛土層
４  盛土補強材
５  定着金具
６  定着バー
７  定着ボルト
８  固化材または砕石
９  壁面ブロック
１０  定着金具
１１  定着金具
１２  定着ボルト
１３  定着金具
１４  土のう
１５  アンカー部材、
１６  永久磁石
１７  ジオテキスタイル（盛土補強材）
１８  盛土
１９  盛土
２０  センサー
【図１】
2004263395.tif 000003
【図２】
2004263395.tif 000004
【図３】
2004263395.tif 000005
【図４】
2004263395.tif 000006
【図５】
2004263395.tif 000007
【図６】
2004263395.tif 000008
【図７】
2004263395.tif 000009
【図８】
2004263395.tif 000010
【図９】
2004263395.tif 000011
【図１０】
2004263395.tif 000012
【図１１】
2004263395.tif 000013
【図１２】
2004263395.tif 000014
【図１３】
2004263395.tif 000015
【図１４】
2004263395.tif 000016
【図１５】
2004263395.tif 000017
【図１６】
2004263395.tif 000018